(57)【要約】  外周縁部の複数箇所が突起によって貫通され、該突起によって吊持された反射シートと、該反射シートと対向配置された導光板とを備える光源装置において、前記導光板は、前記反射シートの前記外周縁部に対応する縁部の前記突起に対応する位置に切り欠きが形成される。該切り欠きを用いて導光板を拡張して設け、前記画像表示領域を広げる。前記導光板の切り欠き付近の反射シートが、該切り欠き付近で乱反射する光を該導光板の出射面側に反射する。
2015008362.tif 000002
【特許請求の範囲】
【請求項１】
外周縁部の複数箇所が突起によって貫通され、該突起によって吊持された反射シートと、該反射シートと対向配置された導光板とを備える光源装置において、
前記導光板は、
前記反射シートの前記外周縁部に対応する縁部であって、前記突起に対応する位置に切り欠きを有することを特徴とする光源装置。
【請求項２】
前記反射シートの前記外周縁部は凹凸を有しており、該外周縁部の凸部を前記突起が貫通しており、
前記外周縁部の凹部には、前記導光板及び反射シートの間隔を一定に保持するスペーサが設けられていることを特徴とする請求項１に記載の光源装置。
【請求項３】
外周縁部の複数箇所に凹凸を有する反射シートと、該反射シートに対向配置された導光板とを備える光源装置において、
前記導光板は、
前記反射シートの外周縁部に対応する縁部であって、前記凸部に対応する位置に切り欠きを有することを特徴とする光源装置。
【請求項４】
前記外周縁部の凹部には、前記導光板及び反射シートの間隔を一定に保持するスペーサが設けられていることを特徴とする請求項３に記載の光源装置。
【請求項５】
前記導光板及び反射シートの対向方向にて、前記導光板の切り欠きに係る領域は、前記凸部内に収まるように構成されていることを特徴とする請求項２から４の何れかに記載の光源装置。
【請求項６】
前記外周縁部の凸部の並列方向における、各凸部及びスペーサの間隔は、該並列方向において前記反射シートの端部に近いほど大きくなるように構成されていることを特徴とする請求項２から５に記載の光源装置。
【請求項７】
前記スペーサは前記導光板の縁部と圧接しており、
前記導光板は摺動可能であることを特徴とする請求項２、４から６の何れかに記載の光源装置。
【請求項８】
前記スペーサは弾性を有することを特徴とする請求項２、４から７の何れかに記載の光源装置。
【請求項９】
前記スペーサは、前記導光板との接触面が凹凸していることを特徴とする請求項２、４から８の何れかに記載の光源装置。
【請求項１０】
前記スペーサは、前記導光板に対して線接触又は点接触してあることを特徴とする請求項２、４から７の何れかに記載の光源装置。
【請求項１１】
前記スペーサは、前記導光板との接触面が白色系の色であることを特徴とする請求項２、４から１０の何れかに記載の光源装置。
【請求項１２】
前記スペーサは、前記導光板との接触面が樹脂であることを特徴とする請求項２、４から１１の何れかに記載の光源装置。
【請求項１３】
前記スペーサは、前記導光板との接触面が金属又は金属化合物であることを特徴とする請求項２、４から１１の何れかに記載の光源装置。
【請求項１４】
前記導光板に入光すべき光を発する光源を備え、
前記凹部が、前記光源から離れた縁部に設けられていることを特徴とする請求項２又は４に記載の光源装置。
【請求項１５】
請求項１から１４の何れかに記載の光源装置と、
前記導光板の一面側に設けられており、該導光板を介して入射される光を用いて画像を表示する表示パネルと
を備えることを特徴とする表示装置。
【発明の詳細な説明】
【技術分野】
【０００１】
本発明は、一縁部の複数箇所が突起部材によって貫通され、該突起部材によって吊持された反射シートと、該反射シートと対向配置された導光板とを備える光源装置と、該光源装置を備える表示装置に関する。
【背景技術】
【０００２】
近年、液晶テレビジョンなどの表示装置が広く普及されている。このような表示装置は導光板と、該導光板に対向配置された反射シートとを備えている。【０００３】
例えば、特許文献１においては、導光板の出射面と反対側に、該導光板と対向配置された拡散シートと、レンズシートと、拡散シートとが配置され、これらの縁には突片部が形成されており、該導光板の側面には、その側面からはみ出るように反射シートを配置し、該反射シートのはみ出た部分に開口部をもうけ、該開口部に前記拡散シート、レンズシート、及び拡散シートの突片部を係止する液晶表示装置が開示されている。
【先行技術文献】
【特許文献】
【０００４】
【特許文献１】特開２００２−３１１４３０号公報
【発明の概要】
【発明が解決しようとする課題】
【０００５】
一方、前記表示装置のうち、導光板又は反射シートを吊持する構造を有する表示装置においては、該吊持のための吊り機構、（例えば、ピン部材）が必要である。従って、このような構造の表示装置においては、かかる吊り機構が邪魔となり、該吊り機構の位置まで導光板を拡張して設けることが困難である。【０００６】
また、仮に、当該吊り機構の位置まで導光板を拡張しないまま、画像の表示画面における画像表示領域に該吊り機構に係る位置が含まれるように、該画像表示領域を拡張した場合は、該画像表示領域であって、該吊り機構に対応する部分にて、該吊り機構等の存在による不具合（輝度ムラ）が生じ、ユーザに違和感を与える。【０００７】
しかし、特許文献１の液晶表示装置は、導光板又は反射シートを吊持する構造を有しておらず、このような問題に対する工夫もされていないので、対応することができない。【０００８】
本発明は、斯かる事情に鑑みてなされたものであり、その目的とするところは、一縁部の複数箇所がピン状部材によって貫通され、該ピン状部材によって吊持された反射シートと、該反射シートと対向配置された導光板とを備える光源装置において、前記導光板が、前記反射シートの一縁部に対応する縁部の前記ピン状部材に整合する位置に切り欠きを有することにより、上述したように、吊り機構が邪魔で導光板を拡張して設けられない問題を解決して、前記画像表示領域を広げることができ、また、前記導光板の切り欠き付近の反射シートが、該切り欠き付近で乱反射する光を該導光板の出射面側に反射し、該画像表示領域の該吊り機構に対応する部分にて輝度ムラが生じることを抑制できる光源装置及び表示装置を提供することにある。
【課題を解決するための手段】
【０００９】
本発明に係る光源装置は、外周縁部の複数箇所が突起によって貫通され、該突起によって吊持された反射シートと、該反射シートと対向配置された導光板とを備える光源装置において、前記導光板は、前記反射シートの前記外周縁部に対応する縁部であって、前記突起に対応する位置に切り欠きを有することを特徴とする。【００１０】
本発明にあっては、前記導光板の切り欠きを用いて該導光板を拡張して設け、前記画像表示領域を広げることができる。また、前記導光板の切り欠き付近の反射シートが、該切り欠きに係る前記導光板の側面付近で乱反射する光を該導光板の出射面側に反射し、輝度ムラが生じることを抑制する。【００１１】
本発明に係る光源装置は、前記反射シートの前記外周縁部は凹凸を有しており、該外周縁部の凸部を前記突起が貫通しており、前記外周縁部の凹部には、前記導光板及び反射シートの間隔を一定に保持するスペーサが設けられていることを特徴とする。【００１２】
本発明にあっては、導光板が欠けている切り欠きにおいては前記凸部の反射によって輝度を高め、導光板が存在する剰余部分では、反射シートを除去した凹部を設けて輝度を下げることにより、ムラ発生を防止する。また、前記スペーサによって、前記反射シートが前記導光板と接し、又は圧接することを防止でき、該反射シートの伸縮を妨げない。【００１３】
本発明に係る光源装置は、外周縁部の複数箇所に凹凸を有する反射シートと、該反射シートに対向配置された導光板とを備える光源装置において、前記導光板は、前記反射シートの外周縁部に対応する縁部であって、前記凸部に対応する位置に切り欠きを有することを特徴とする。【００１４】
本発明にあっては、前記導光板の切り欠きを用いて該導光板を拡張して設け、前記画像表示領域を広げることができる。また、前記導光板の切り欠き付近の反射シートが、該切り欠きに係る前記導光板の側面付近で乱反射する光を該導光板の出射面側に反射し、輝度ムラが生じることを抑制する。【００１５】
本発明に係る光源装置は、前記外周縁部の凹部には、前記導光板及び反射シートの間隔を一定に保持するスペーサが設けられていることを特徴とする。【００１６】
本発明にあっては、導光板が欠けている切り欠きにおいては前記凸部の反射によって輝度を高め、導光板が存在する剰余部分では、反射シートを除去した凹部を設けて輝度を下げることにより、ムラ発生を防止する。また、前記スペーサによって、前記反射シートが前記導光板と接し、又は圧接することを防止でき、該反射シートの伸縮を妨げない。【００１７】
本発明に係る光源装置は、前記導光板及び反射シートの対向方向にて、前記導光板の切り欠きに係る領域は、前記凸部内に収まるように構成されていることを特徴とする。【００１８】
本発明にあっては、前記導光板の切り欠きに係る領域が前記凸部内に収まり、該切り欠きに係る前記導光板の側面付近で乱反射する光が、前記反射シートの凸部によって、該導光板の出射面側に反射される。【００１９】
本発明に係る光源装置は、前記外周縁部の凸部の並列方向における、各凸部及びスペーサの間隔は、該並列方向において前記反射シートの端部に近いほど大きくなるように構成されていることを特徴とする。【００２０】
本発明にあっては、前記並列方向における各スペーサと両側の凸部との間隔は、該並列方向において、前記反射シートの中央部から前記反射シートの端部に近くなるほど大きくなるように構成される。【００２１】
本発明に係る光源装置は、前記スペーサは前記導光板の縁部と圧接しており、前記導光板は摺動可能であることを特徴とする。【００２２】
本発明にあっては、前記スペーサが前記導光板の縁部と圧接して該導光板を保持しているが、例えば、該スペーサは摩擦係数の低い材料からなり、前記導光板を摺動可能に保持する。【００２３】
本発明に係る光源装置は、前記スペーサは弾性を有することを特徴とする。【００２４】
本発明にあっては、前記スペーサが弾性を有しているので、前記導光板の縁部と圧接して該導光板を保持する。【００２５】
本発明に係る光源装置は、前記スペーサは、前記導光板との接触面が凹凸していることを特徴とする。【００２６】
本発明にあっては、前記接触面が凹凸するようにすることにより、前記スペーサと前記導光板との接触面積（摩擦）を減らして前記導光板の伸縮を自由にする。【００２７】
本発明に係る光源装置は、前記スペーサは、前記導光板に対して線接触又は点接触してあることを特徴とする。【００２８】
本発明にあっては、前記スペーサが前記導光板と接触する際に、線接触又は点接触するように構成する。これによって、前記スペーサ及び導光板の接触面積が低下することで、前記導光板の熱膨張・収縮時に該導光板が伸び方向に対して摺動可能な構造をもつ。【００２９】
本発明に係る光源装置は、前記スペーサは、前記導光板との接触面が白色系の色であることを特徴とする。【００３０】
本発明にあっては、前記スペーサが前記導光板と接触する接触面に、例えば、白色系を塗装することにより、該接触面での反射率を高め、前記導光板の切り欠き付近での明部ムラを緩和する。【００３１】
本発明に係る光源装置は、前記スペーサは、前記導光板との接触面が樹脂であることを特徴とする。【００３２】
本発明にあっては、前記スペーサが前記導光板と接触する接触面に係る部分を樹脂で構成することにより、前記導光板の熱膨張・収縮時に導光板が伸び方向に対して摺動可能な構造を取りやすくなる。【００３３】
本発明に係る光源装置は、前記スペーサは、前記導光板との接触面が金属又は金属化合物であることを特徴とする。【００３４】
本発明にあっては、前記スペーサが前記導光板と接触する接触面に係る部分を金属又は金属化合物で構成し、金属光沢をもたせることにより、該接触面での反射率を高め、前記導光板の切り欠き付近での明部ムラを緩和すると共に、該導光板を保持するための強度を持たせる。【００３５】
本発明に係る光源装置は、前記導光板に入光すべき光を発する光源を備え、前記凹部が、前記光源から離れた縁部に設けられていることを特徴とする。【００３６】
本発明にあっては、例えば、前記導光板が矩形であって、その一の長辺側の縁部に前記光源が設けられている場合、前記凹部は、他の長辺側の縁部に設けられる。【００３７】
本発明に係る表示装置は、前述の発明の何れか一つに記載の光源装置と、前記導光板の一面側に設けられており、該導光板を介して入射される光を用いて画像を表示する表示パネルとを備えることを特徴とする。【００３８】
本発明にあっては、前記光源装置の導光板の一面から出射され、前記表示パネルに入射される光を用いて、該表示パネルは所定の画像を表示する。
【発明の効果】
【００３９】
本発明によれば、吊り機構が邪魔で導光板を拡張して設けられない問題を解決して、前記画像表示領域を広げることができ、また、前記導光板の切り欠き付近の反射シートが該切り欠きに係る導光板の側面付近で乱反射する光を該導光板の出射面側に反射し、該画像表示領域の該吊り機構に対応する部分にて輝度ムラが生じることを抑制できる。
【図面の簡単な説明】
【００４０】
【図１】本発明の実施の形態１に係る液晶テレビジョンの外観を示す正面図である。
【図２】本発明の実施の形態に係る液晶テレビジョンの要部構成を示す分解斜視図である。
【図３】図１のＡ―Ｂ線による縦断面図である。
【図４】本発明の実施の形態１における、液晶テレビジョンのバックライトシャーシに、導光板及び反射シートが収容された場合を模式的に示す説明図である。
【図５】本発明の実施の形態２における、液晶テレビジョンのバックライトシャーシに、導光板及び反射シートが収容された場合を模式的に示す説明図である。
【図６】本発明の実施の形態３に係る液晶テレビジョンにおける、スペーサの形状を模式的に示す模式的縦断面図である。
【発明を実施するための形態】
【００４１】
以下に、本発明の実施の形態に係る光源装置及び表示装置を、いわゆる液晶表示パネルを備える液晶テレビジョンに適用した場合を例として、図面に基づいて詳述する。
【００４２】
（実施の形態１）
図１は本発明の実施の形態１に係る液晶テレビジョンの外観を示す正面図であり、図２は本発明の実施の形態に係る液晶テレビジョンの要部構成を示す分解斜視図であり、図３は図１のＡ―Ｂ線による縦断面図である。図中符号１００は、本発明の実施の形態に係る液晶テレビジョンを示す。以下、説明の便宜上、図面における液晶テレビジョンの左右方向を横方向、上下方向を縦方向という。
【００４３】
液晶テレビジョン１００は、光源装置１、液晶表示パネル２、光学シート３並びに液晶表示パネル２及び光学シート３を収容するフロントシャーシ４等を備える。
【００４４】
更に、光源装置１は、光源部１４と、光源部１４から入射される光を液晶表示パネル２側の一面に導く導光板１１と、光源部１４から入射される光を導光板１１の前記一面に向けて反射させる反射シート１２と、光源部１４、導光板１１及び反射シート１２を収容するバックライトシャーシ１３とを有している。
【００４５】
フロントシャーシ４は、画像が表示される液晶表示パネル２より表側に配置されている。フロントシャーシ４は、ユーザによって視認される液晶表示パネル２の一面２１の形状に倣う矩形の底を有する筒状をなしており、該底には矩形の表示窓４１が開口している。ユーザは表示窓４１を介して液晶表示パネル２の一面２１に表示される画像を視認することができる。
【００４６】
フロントシャーシ４の前記底の縁から表示窓４１の縁までは所定の幅Ｗを有しており、換言すれば、フロントシャーシ４の前記底であって、表示窓４１を除く剰余部分は、中空矩形の額縁部４２を形成している。
【００４７】
液晶表示パネル２は一面２１の周縁部が額縁部４２によって覆われており、液晶表示パネル２の他面側には光学シート３が設けられ、光学シート３の一面が液晶表示パネル２の他面と対向するように配置されている。
【００４８】
液晶表示パネル２は、例えばアクティブマトリクス方式であり、所定の間隙を設けて対向配置された一面２１側の透明基板及び他面側の透明基板を備えており、これら透明基板の間の間隙には液晶が封入されている。前記他面側の透明基板と、光学シート３との間には偏光板（図示せず）が設けられている。
【００４９】
光学シート３の他面側には光源装置１の導光板１１が設けられており、導光板１１の前記一面が光学シート３の前記他面と対向するように配置されている。
【００５０】
光学シート３は、光源部１４から発せられ、導光板１１を介して入射される光に対して拡散、集光等を行ない、より均一な光を液晶表示パネル２に向けて出射させる、公知のものである。例えば、光学シート３は、２枚の拡散シートと、１枚のプリズムシートとからなり、該プリズムシートは２枚の拡散シートの間に介在している。
【００５１】
前記２枚の拡散シートのうち導光板１１側に配置された一の拡散シートは、導光板１１を介して光源部１４から入射される光を拡散させて前記プリズムシートに入射させる光学シートである。また、前記プリズムシートは、前記一の拡散シートを介して入射される光を集光して他の拡散シートに向けて出射させる光学シートである。前記プリズムシートを通過した光は、該プリズムシートに対して垂直に前記他の拡散シートへ入射される。
【００５２】
液晶表示パネル２側に配置された前記他の拡散シートは、前記プリズムシートを介して入射される光を更に拡散させてより均一な輝度分布にして液晶表示パネル２に向けて出射させる光学シートである。
【００５３】
光源装置１は、いわゆるエッジライト方式であり、光源部１４と、光学シート３の前記他面側に配置された導光板１１と、導光板１１の他面側に設けた反射シート１２とを有している。反射シート１２はその一面が導光板１１の前記他面に対向するように配置されており、導光板１１及び反射シート１２は積層された状態にてバックライトシャーシ１３に収容される。
【００５４】
導光板１１は、例えば透明度の高い矩形のアクリル樹脂からなり、所定の厚みを有しており、その一側面付近の光源部１４が発する光を光学シート３（液晶パネル２）に導く。例えば、導光板１１は、光学シート３の前記他面と対向する一面に、光源部１４から入射された光が液晶パネル２方向に進行するようにパターンを形成された出射面を有するように構成してもよい。これによって、導光板１１は、光源部１４から入射される光を平面光に変えて前記出射面を通じて光学シート３に均一に伝達することができる。なお、導光板１１の他面側には反射シート１２が設けられている。
【００５５】
また、導光板１１は、長辺側の一縁部の３箇所に切り欠き１１１，１１１，１１１が形成されている。切り欠き１１１，１１１，１１１は、後述するバックライトシャーシ１３の３箇所に設けられる吊りピン部材１３２，１３２，１３２と整合する位置に設けられている。例えば、切り欠き１１１，１１１，１１１は、導光板１１の前記一側面と対向する他側面の縁部にて等間隔で形成されている。以下、前記一側面を近光側面１１２といい、前記他側面を遠光側面１１３という。例えば、切り欠き１１１，１１１，１１１は、導光板１１の厚み方向において、Ｕ字状をなしている。
【００５６】
導光板１１の４辺の各側面には、切り欠き１１１に係る側面を除き、鏡面処理が施されており、光源部１４から入射される光の一部は該側面から外側へ自由に通り抜ける。一方、切り欠き１１１に係る側面には、前記鏡面加工が施されておらず、光源部１４から入射される光の一部は切り欠き１１１に係る側面にて乱反射を起こす。
【００５７】
液晶表示パネル２の前記他面側には、図３に示すように、導光板１１を押圧して保持する導光板保持枠８が設けられている。導光板保持枠８はフロントカバー４の前記底の形状に倣う矩形の底を有する筒状をなしており、断面視Ｌ字状をなしている。更に、導光板保持枠８の前記底には表示窓４１に倣う矩形の開口８１が形成されている。
【００５８】
導光板保持枠８は導光板１１の損傷を防止する弾性部材からなるスペーサ枠９を介して導光板１１の周縁部を反射シート１２側に押し付けている。すなわち、スペーサ枠９は中空矩形をなしており、導光板１１の前記一面の周縁部と接している。すなわち、導光板保持枠８の前記底において、開口８１を除く剰余部分８２は中空矩形をなしており、剰余部分８２の内側の縁部がスペーサ枠９と当接した状態にて、導光板保持枠８がスペーサ枠９に導光板１１側へ押圧力を加える。これにより、導光板１１は後述するスペーサ７及び導光板保持枠８によって挟持されている。スペーサ枠９は、例えば、高密度マイクロセルウレタンフォーム、ゴム又はエラストマーなどからなる。
【００５９】
一方、反射シート１２は、導光板１１と略等しい又は少し大きい寸法の矩形であり、光源部１４から導光板１１に入射される光を導光板１１の他面側から乱反射させて導光板１１の前記出射面を介して出射させる。
【００６０】
また、反射シート１２は、導光板１１の遠光側面１１３付近に配置された、一の長辺側の縁部が凹凸を有するように形成されている。詳しくは、３つの凸部１２１，１２１，１２１と、４つの凹部１２２，１２２，１２２，１２２とから形成されており、３つの凸部１２１，１２１，１２１は、該縁部において、等間隔に形成されている。凹部１２２は、例えば、反射シート１２の厚み方向において、Ｕ字状をなしており、凸部１２１は矩形を有している。
【００６１】
また、各凸部１２１の中央部には、反射シート１２をその厚み方向に貫通する貫通穴１２３が形成されている。貫通穴１２３は吊りピン部材１３２の外径と略同じ径の円形であり、貫通穴１２３には吊りピン部材１３２が挿入され、これによって、反射シート１２は吊持される。
【００６２】
図４は本発明の実施の形態１における、液晶テレビジョン１００のバックライトシャーシ１３に、導光板１１及び反射シート１２が収容された場合を模式的に示す説明図である。
【００６３】
導光板１１及び反射シート１２はバックライトシャーシ１３に収容された場合、これらの積層方向において、貫通穴１２３，１２３，１２３及び切り欠き１１１，１１１，１１１の位置が整合するように構成されており、反射シート１２が導光板１１より少し大きい。
【００６４】
バックライトシャーシ１３の底１３１の上であって、反射シート１２の各凹部１２２には、導光板１１と、反射シート１２又はバックライトシャーシ１３の底１３１との間隔を一定に維持するためのスペーサ７が設けられている。スペーサ７は、凹部１２２，１２２，１２２，１２２の並設方向において、両側の凸部１２１と同一間隔となるように配置されている。更に、スペーサ７は、例えば、直方体の形状を有し、前記積層方向における寸法が反射シート１２の厚みを大きく上回る。また、スペーサ７は、発泡ＰＥＴ、ゴム等からなり、所定の弾性を有している。
【００６５】
導光板１１がバックライトシャーシ１３に収容された場合、スペーサ７は、導光板１１の遠光側面１１３側の縁部と当接するように構成されている（図３参照）。すなわち、スペーサ７は、導光板１１の遠光側面１１３側の縁部及びバックライトシャーシ１３の底１３１の間に介在している。従って、上述したように、導光板保持枠８がスペーサ枠９に導光板１１側への押圧力を加えることにより、導光板１１がスペーサ７及び導光板保持枠８によって挟持される。スペーサ７は、上述したように所定の弾性を有するので、圧着して導光板１１を挟持することができる。
【００６６】
また、スペーサ７は、低い摩擦係数を有する。例えば、スペーサ７はＰＥＴの摩擦係数以下の摩擦係数を有し、望ましくは、導光板１１の材質の摩擦係数より低い摩擦係数であれば良い。このように、スペーサ７は低い摩擦係数を有するので、導光板１１はスペーサ７及び導光板保持枠８によって挟持された状態であっても摺動可能である。
【００６７】
導光板１１の両長辺のうち、下方の側面、すなわち近光側面１１２の付近には、光源部１４が設けられている。光源部１４は、導光板１１の近光側面１１２に対して対向配置された基板１４１と、基板１４１に実装されており、導光板１１の近光側面１１２に沿って並設された光源１４２，１４２，・・・１４２とを有している。光源１４２，１４２，・・・１４２は、例えば、発光ダイオード（ＬＥＤ：Ｌｉｇｈｔ Ｅｍｉｔｔｉｎｇ Ｄｉｏｄｅ）、冷陰極蛍光ランプ（ＣＣＦＬ：Ｃｏｌｄ Ｃａｔｈｏｄｅ Ｆｌｕｏｒｅｓｃｅｎｃｅ Ｌａｍｐ）、熱陰極管（ＨＣＦＬ：Ｈｏｔ  Ｃａｔｈｏｄｅ  Ｆｌｕｏｒｅｓｃｅｎｔ  Ｌａｍｐ）、外部電極蛍光ランプ（ＥＥＦＬ：Ｅｘｔｅｒｎａｌ Ｅｌｅｃｔｒｏｄｅ Ｆｌｕｏｒｅｓｃｅｎｔ Ｌａｍｐ）等であっても良い。
【００６８】
本発明において、光源部１４は以上の構成に限るものでない。例えば、導光板１１の両短辺の両側面側、又は何れか一方の側面に光源部１４を設ける構成であっても良く、導光板１１の両短辺の両側面側及び近光側面１１２に設ける構成であっても良い。
【００６９】
バックライトシャーシ１３は、反射シート１２の形状に倣う矩形の底１３１を有する筒状をなしており、底１３１は縦方向の上方の長辺側に、反射シート１２を吊持する円柱状の吊りピン部材１３２，１３２，１３２が、反射シート１２の各貫通穴１２３の位置に整合するように、突設されている。
【００７０】
また、本発明においては、吊りピン部材１３２によって、バックライトシャーシ１３内の導光板１１の位置が決められる。すなわち、吊りピン部材１３２は、いわゆる位置決め部としての役割を兼ねており、導光板１１をバックライトシャーシ１３に収容する際に、導光板１１の切り欠き１１１，１１１，１１１が吊りピン部材１３２，１３２，１３２と係合するようにすれば良い。
【００７１】
更に、上述したように、反射シート１２は、各凸部１２１の貫通穴１２３を吊りピン部材１３２に外嵌することにより、バックライトシャーシ１３内におけるその位置が定められる。以上により、本発明においては、導光板１１及び反射シート１２の位置ズレが防止できる。
【００７２】
以上の構成を有するので、本発明の実施の形態１に係る液晶テレビジョン１００においては、表示窓４１を広げ、額縁部４２の幅Ｗを狭くすることができ、ひいては、液晶表示パネル２（一面２１）における画像表示領域の面積を拡張することができる。以下、図４に基づいて詳しく説明する。
【００７３】
本発明の液晶テレビジョン１００のように、導光板１１又は反射シート１２を吊持する構造を有する表示装置においては、該吊持のための吊り機構、本発明においては、凸部１２１及び吊りピン部材１３２が必要である。
【００７４】
従って、このような構造においては、吊りピン部材１３２まで導光板１１を拡張して設けることが困難であり、吊りピン部材１３２まで導光板１１を拡張せずに、額縁部４２の幅Ｗを狭くして、表示窓４１を広げた場合、凹部１２２及び吊りピン部材１３２等の存在により、液晶表示パネル２（一面２１）における画像表示領域に不具合（輝度ムラ）が生じるので、ユーザに違和感を与える。
【００７５】
しかし、本発明の実施の形態１に係る液晶テレビジョン１００は、導光板１１に切り欠き１１１，１１１，１１１を設け、切り欠き１１１，１１１，１１１に吊りピン部材１３２，１３２，１３２が係合するようにして、導光板１１を拡張して設けている。また、導光板１１の各切り欠き１１１が、反射シート１２の凸部１２１と前記積層方向にて整合位置している。更に、前記積層方向において、切り欠き１１１によって定められる領域が、反射シート１２の凸部１２１内に収まるように構成されている。
【００７６】
従って、切り欠き１１１の側面に沿う部分にて乱反射された光と、吊りピン部材１３２によって反射された光とを、反射シート１２の凸部１２１が液晶表示パネル２側に反射できる。また、導光板１１の遠光側面１１３側の端部における、切り欠き１１１，１１１，１１１を除く剰余部分の多くは、反射シート１２の凹部１２２と対向配置しており、該剰余部分では液晶表示パネル２への光の反射が抑えられる。
【００７７】
すなわち、導光板１１が不存在の切り欠き１１１においては輝度を高め、導光板１１が存在する前記剰余部分では、反射シート１２を除去して輝度を下げることにより、導光板１１の遠光側面１１３側の端部においてのムラ発生が防止できる。
【００７８】
これによって、本発明に係る液晶テレビジョン１００においては、額縁部４２における幅Ｗを狭くすることができ、より広い画像表示領域をユーザに提供することができる。
【００７９】
また、本発明の実施の形態１に係る液晶テレビジョン１００においては、上述したように、スペーサ７が低い摩擦係数を有し、導光板１１はスペーサ７及び導光板保持枠８によって挟持された状態で摺動可能に構成されている。従って、液晶テレビジョン１００の使用中における温度上昇・下降に応じて、導光板１１の伸縮が可能である。
【００８０】
更に、本発明の実施の形態１に係る液晶テレビジョン１００においては、スペーサ７が、導光板１１の遠光側面１１３側の縁部及びバックライトシャーシ１３の底１３１の間に介在している。従って、反射シート１２は、導光板１１の遠光側面１１３付近の縁部にて、導光板１１と当接又は圧接されず、液晶テレビジョン１００の使用中における温度上昇・下降に応じて、反射シート１２の伸縮が可能であり、反射シート１２にタワミが発生することを防止できる。
【００８１】
なお、以上の記載においては、本発明の液晶テレビジョン１００が、導光板１１又は反射シート１２を吊持する構造であり、該吊持のために、凸部１２１及び吊りピン部材１３２の吊り機構が必要である場合を例に挙げて説明した。しかし、本発明はこれに限るものでなく、このような吊り機構を有しない場合であっても良い。
【００８２】
例えば、液晶テレビジョン１００の反射シート１２において、導光板１１の遠光側面１１３と隣り合う両側面と対応する両短辺側の縁部が凹凸を有し、反射シート１２の当該縁部に位置決め部が配置されるような構成であっても良い。このような場合、導光板１１は、反射シート１２の当該縁部の凸部に対応する位置に切り欠き１１１を有し、反射シート１２の当該縁部の凹部にはスペーサ７が位置するように構成すれば良い。
【００８３】
（実施の形態２）
実施の形態１においては、凸部１２１，１２１，１２１、及び、凹部１２２，１２２，１２２，１２２が等間隔に形成されており、かつ、凹部１２２，１２２，１２２，１２２の並設方向において、スペーサ７が両側の夫々の凸部１２１となす間隔（以下、単に、凸部１２１及びスペーサ７の間隔という）が同一であるように配置されている場合を例に説明したが、本発明はこれに限るものでない。
【００８４】
図５は本発明の実施の形態２における、液晶テレビジョン１００のバックライトシャーシ１３に、導光板１１及び反射シート１２が収容された場合を模式的に示す説明図である。図５に示すように、本発明の実施の形態２に係る液晶テレビジョン１００においては、凸部１２１及びスペーサ７の間隔が、凹部１２２，１２２，１２２，１２２の並設方向において異なる。
【００８５】
本発明の実施の形態２に係る液晶テレビジョン１００においては、前記凸部１２１及びスペーサ７の間隔が、凹部１２２，１２２，１２２，１２２の並設方向において反射シート１２の端部に近いほど大きくなるように構成されている。
【００８６】
図５に示すように、前記並設方向、換言すれば、液晶テレビジョン１００の横方向においては、中央部の凸部１２１（以下、中央凸部１２１という）と、該中央凸部１２１の図面視左側及び右側の凸部１２１（以下、夫々左側凸部１２１及び右側凸部１２１という）との間にスペーサ７１及びスペーサ７２が夫々配置されており、左側凸部１２１の更に左側及び右側凸部１２１の更に右側にも、スペーサ７３及びスペーサ７４が夫々配置されている。
【００８７】
しかし、中央凸部１２１及びスペーサ７２の間隔Ａ、該スペーサ７２及び右側凸部１２１の間隔Ｂ、並びに、該右側凸部１２１及びスペーサ７４の間隔Ｃは相違しており、間隔Ａ＜間隔Ｂ＜間隔Ｃの関係を有している。
【００８８】
反射シート１２が熱膨張により伸縮する際に、伸縮方向の中央部が保持されているような場合は、反射シート１２の端部に向かうに従い、伸び・縮み量が増加する。これに対して、本発明の実施の形態２に係る液晶テレビジョン１００においては、上述したように、間隔Ａ＜間隔Ｂ＜間隔Ｃの関係を有するように構成しており、前記伸縮方向の端部に近いほど伸び・縮み量が増加することにより、スペーサ７１，７２，７３，７４との当接によって反射シート１２にタワミが生じる等の問題を未然に防止できる。
【００８９】
スペーサ７１と、中央凸部１２１及び左側凸部１２１との間隔、並びに、左側凸部１２１と、スペーサ７４との間隔についても同様であり、詳しい説明を省略する。
【００９０】
実施の形態１と同様の部分については、同一の符号を付して詳細な説明を省略する。
【００９１】
（実施の形態３）
実施の形態１では、スペーサ７が低い摩擦係数を有し、かつ、所定の弾性を有している場合を例に説明したが、本発明はこれに限るものでない。
【００９２】
図６は本発明の実施の形態３に係る液晶テレビジョン１００における、スペーサ７の形状を模式的に示す模式的縦断面図である。
【００９３】
本発明の実施の形態３に係る液晶テレビジョン１００においては、スペーサ７は導光板１１の遠光側面１１３側の縁部と当接するように構成されており（図３参照）、実施の形態１に係るスペーサ７と同様の構成であり、更にスペーサ７は導光板１１との当該接触面が凹凸するように構成されている。
【００９４】
本発明の実施の形態３に係る液晶テレビジョン１００においては、このような構成を有することから、スペーサ７と導光板１１との接触面積（摩擦）を減らすことができ、液晶テレビジョン１００の使用中における温度上昇・下降に応じた導光板１１の伸縮を一層自由にする。
【００９５】
実施の形態１と同様の部分については、同一の符号を付して詳細な説明を省略する。
【００９６】
（実施の形態４）
実施の形態１では、スペーサ７が低い摩擦係数を有し、かつ、所定の弾性を有している場合を例に説明したが、本発明はこれに限るものでない。
【００９７】
本発明の実施の形態４に係る液晶テレビジョン１００においては、スペーサ７は、実施の形態１に係るスペーサ７と同様の構成であり、更に、導光板１１に対して線接触又は点接触するように構成されている。
【００９８】
すなわち、スペーサ７及び導光板１１を線接触又は点接触させることにより、導光板１１とスペーサ７との接触面積が低下する。従って、導光板１１の熱膨張・収縮の際に導光板１１が伸縮方向に対して摺動可能な構造、すなわち、導光板１１の伸縮を規制させない構造にする。
【００９９】
これによって、妨げられずに導光板１１の熱膨張・収縮が行われ、導光板１１の反りを抑制し、良好な表示品位を保つことが可能である。
【０１００】
実施の形態１と同様の部分については、同一の符号を付して詳細な説明を省略する。
【０１０１】
（実施の形態５）
実施の形態１では、スペーサ７が低い摩擦係数を有し、かつ、所定の弾性を有している場合を例に説明したが、本発明はこれに限るものでない。
【０１０２】
本発明の実施の形態５に係る液晶テレビジョン１００においては、スペーサ７は、実施の形態１に係るスペーサ７と同様の構成であり、更に、導光板１１との接触面が白色系の色で塗設された構成である。
【０１０３】
すなわち、切り欠き１１１，１１１，１１１を除く剰余部分の多くは、反射シート１２の凹部１２２のスペーサ７と対向配置しているので、スペーサ７の表面、すくなくとも、導光板１１との接触面を白色系にし、スペーサ７での反射率を高めることにより、切り欠き１１１，１１１，１１１周囲の反射率が高まり、切り欠き１１１，１１１，１１１の明部ムラが緩和される。
【０１０４】
これによって、導光板１１の切り欠き１１１，１１１，１１１の乱反射による表示ムラを抑制し、良好な表示品位を保つことが出来る。
【０１０５】
実施の形態１と同様の部分については、同一の符号を付して詳細な説明を省略する。
【０１０６】
（実施の形態６）
実施の形態１では、スペーサ７が低い摩擦係数を有し、かつ、所定の弾性を有している場合を例に説明したが、本発明はこれに限るものでない。
【０１０７】
本発明の実施の形態６に係る液晶テレビジョン１００においては、スペーサ７は、実施の形態１に係るスペーサ７と同様の構成であり、更に、導光板１１との接触面に係る部分が樹脂からなるように構成されている。
【０１０８】
これによって、導光板１１の熱膨張・収縮の際に導光板１１が伸縮方向に対して摺動可能な構造にしやすくなる。例えば、樹脂自体の弾性変更が可能であるうえに、スペーサ７の前記接触面における、凹凸加工、低摩擦係数加工などがしやすくなる。従って、妨げられずに導光板１１の熱膨張・収縮が行われ、導光板１１の反りを抑制し、良好な表示品位を保つことが可能である。
【０１０９】
実施の形態１と同様の部分については、同一の符号を付して詳細な説明を省略する。
【０１１０】
（実施の形態７）
実施の形態１では、スペーサ７が低い摩擦係数を有し、かつ、所定の弾性を有している場合を例に説明したが、本発明はこれに限るものでない。
【０１１１】
本発明の実施の形態７に係る液晶テレビジョン１００においては、スペーサ７は、実施の形態１に係るスペーサ７と同様の構成であり、更に、導光板１１との接触面に係る部分が金属又は金属化合物からなるように構成されている。
【０１１２】
すなわち、スペーサ７の表面、すくなくとも、導光板１１との接触面を金属又は金属化合物にして金属光沢をもたせ、スペーサ７での反射率を高めることにより、切り欠き１１１，１１１，１１１周囲の反射率が高まり、切り欠き１１１，１１１，１１１の明部ムラが緩和される。
【０１１３】
これによって、導光板１１の切り欠き１１１，１１１，１１１の乱反射による表示ムラを抑制し、良好な表示品位を保つことが出来る。更に、導光板１１を保持するための強度をスペーサ７に持たせることも可能である。
【０１１４】
実施の形態１と同様の部分については、同一の符号を付して詳細な説明を省略する。
【符号の説明】
【０１１５】
１  光源装置
２  液晶表示パネル（表示パネル）
７  スペーサ
１１  導光板
１２  反射シート
１３  バックライトシャーシ
１００  液晶テレビジョン（表示装置）
１１１  切り欠き
１２１  凸部
１２２  凹部
１３２  吊りピン部材（突起）
Ａ，Ｂ，Ｃ  間隔
【図１】
2015008362.tif 000003
【図２】
2015008362.tif 000004
【図３】
2015008362.tif 000005
【図４】
2015008362.tif 000006
【図５】
2015008362.tif 000007
【図６】
2015008362.tif 000008
【国際調査報告】
2015008362.tif 000009
2015008362.tif 000010